(57)【要約】【課題】指針と表示板との間の光漏れを低減するとともに、指針の輝度を低下を防止することが可能な指針照明装置を提供するものである。【解決手段】回動中心領域Ｒに光導入部１３を有する透光性の指針本体１０とこの指針本体１０の回動中心領域Ｒを覆う遮光性カバー１１とを備える指針１と、この指針１の背後に所定距離を隔てて配置され光導入部１３対応部分に透光部２１を有する表示板２と、この表示板２の背面側に位置し指針１の光導入部１３に照明光を供給することにより指針１を光輝させる光源３と、指針１と表示板２の間に位置して表示板２に固定され表示板２の透光部２１周縁を覆って遮光性カバー１１側に延びる筒状の遮光壁部４１を有するカラー部材４と、回動中心領域Ｒを背後から覆うとともに光源３からの照明光を光導入部１３に通過させる採光部１６と遮光壁部４１に沿ってその内側に延びる壁状の遮光部１７とを有する被覆部材１２とを備え、採光部１６領域内に光源３方向に突出形成した突出部１８を設けたものである。【選択図】　図１
2004125498.tif 000002
【特許請求の範囲】
【請求項１】
回動中心領域に光導入部を有する透光性の指針本体とこの指針本体の回動中心領域を覆う遮光性部材とを備える指針と、この指針の背後に所定距離を隔てて配置され前記光導入部対応部分に透光部を有する表示板と、この表示板の背面側に位置し前記指針の光導入部に照明光を供給することにより前記指針を光輝させる光源と、前記指針と前記表示板の間に位置して前記表示板に固定され前記表示板の透光部周縁を覆って前記遮光性部材側に延びる筒状の遮光壁部を有するカラー部材と、前記回動中心領域を背後から覆うとともに前記光源からの照明光を前記光導入部に通過させる採光部と前記遮光壁部に沿ってその内側に延びる壁状の遮光部とを有する被覆部材とを備え、前記採光部領域内に前記光源方向に突出した突出部を設けたことを特徴とする指針照明装置。
【請求項２】
前記突出部を前記遮光部と連続する壁形状に形成したことを特徴とする請求項１に記載の指針照明装置。
【発明の詳細な説明】
【０００１】
【発明の属する技術分野】
本発明は、例えば車両用計器に採用される指針照明装置に関し、特に指針と表示板との間からの光漏れを防止する指針照明装置に関するものである。
【０００２】
【従来の技術】
従来より表示板上で回動する指針を透光材から形成して光導入部を設けると共に表示板の背後に光源を配置し、この光源からの照明光を表示板の光透過部分を通じて指針の光導入部に供給し、指針自体を光輝させる指針照明装置がよく知られている。
【０００３】
この種指針照明装置にあっては、指針の光導入部を含む回動中心領域の前方及びその周囲は通常、キャップ状の遮光性カバー（遮光性部材）にて覆われるので、この部分からの光洩れは抑えられるが、遮光性カバーと表示板との間から光洩れが発生することがある。
【０００４】
このため、照明光の光導入経路となる表示板の光透過部分周囲に円環状の遮光リングを設け、この遮光リングを遮光性カバーとラップさせて光洩れを抑制する指針照明装置が提案されている（例えば、特許文献１参照）。
【０００５】
しかしながら、前述のごとく遮光リングを用いて光り漏れを抑制する構造は、単に遮光リングと遮光性カバーとを所定の間隔を空けてラップさせるだけの構造であるため、導光体を通じて指針側に供給される照明光のうち、指針側から反射した照明光が遮光リングと遮光性カバーとの間を通ってダイレクトに表示板表面に漏れやすく、これがハレーションとなって視認され照明品質を低下させてしまうことがあり、この点で改良の余地が残されていた。特にこのような光漏れによるハレーションの発生は、表示板が白色系の色彩を有する場合に目立つため改良が望まれていた。
【０００６】
そこで、この点に鑑みてなされたもので、表示板側への光漏れを低減し照明品質を高めるために、指針の回動中心領域を背後から覆う被覆部材に、遮光リングに沿ってその内側に延びる遮光部を形成し、この遮光部内側に光導入部を設けたものもある（例えば、特許文献２参照）。
【０００７】
【特許文献１】
実公平６−２００９７号公報（第１図、第２図）
【特許文献２】
特開２０００−１９３４９７号公報（第３頁、図２、図３）
【０００８】
【発明が解決しようとする課題】
しかしながら、前記特許文献２のように、遮光部内側に光導入部を設けたことにより、光導入部の面積が小さくなり、指針自体の輝度の低下を招くという問題があった。
【０００９】
そこで、本発明は、この点に鑑みてなされたもので、その主な目的は、指針と表示板との間の光漏れを低減するとともに、指針の輝度を低下を防止することが可能な指針照明装置を提供するものである。
【００１０】
【課題を解決するための手段】
本発明は、前記目的を達成するため、回動中心領域に光導入部を有する透光性の指針本体とこの指針本体の回動中心領域を覆う遮光性部材とを備える指針と、この指針の背後に所定距離を隔てて配置され前記光導入部対応部分に透光部を有する表示板と、この表示板の背面側に位置し前記指針の光導入部に照明光を供給することにより前記指針を光輝させる光源と、前記指針と前記表示板の間に位置して前記表示板に固定され前記表示板の透光部周縁を覆って前記遮光性部材側に延びる筒状の遮光壁部を有するカラー部材と、前記回動中心領域を背後から覆うとともに前記光源からの照明光を前記光導入部に通過させる採光部と前記遮光壁部に沿ってその内側に延びる壁状の遮光部とを有する被覆部材とを備え、前記採光部領域内に前記光源方向に突出した突出部を設けたものである。
【００１１】
また、前記突出部を前記遮光部と連続する壁形状に形成したものである。
【００１２】
【発明の実施の形態】
本発明による指針照明装置は、回動中心領域Ｒに光導入部１３を有する透光性の指針本体１０とこの指針本体１０の回動中心領域Ｒを覆う遮光性部材である遮光性カバー１１とを備える指針１と、この指針１の背後に所定距離を隔てて配置され光導入部１３対応部分に透光部２１を有する表示板２と、この表示板２の背面側に位置し指針１の光導入部１３に照明光を供給することにより指針１を光輝させる光源３と、指針１と表示板２の間に位置して表示板２に固定され表示板２の透光部２１周縁を覆って遮光性カバー１１側に延びる筒状の遮光壁部４１を有するカラー部材４と、回動中心領域Ｒを背後から覆うとともに光源３からの照明光を光導入部１３に通過させる採光部１６と遮光壁部４１に沿ってその内側に延びる壁状の遮光部１７とを有する被覆部材１２とを備え、採光部１６領域内に光源３方向に突出形成した突出部１８を設けたものである。このように構成したことにより、指針と表示板との間の光漏れを低減するとともに、指針の輝度を低下を防止することが可能な指針照明装置を提供することができる。
【００１３】
また、突出部１８を遮光部１７と連続する壁形状に形成したものである。このように構成したことにより、指針と表示板との間の光漏れを低減するとともに、指針の輝度を低下を防止することが可能な指針照明装置を提供することができる。
【００１４】
【実施例】
以下、本発明の実施例を添付図面を用いて説明するが、図１から図３は本発明による指針照明装置を指針式メータに適用したものである。
【００１５】
図１において、指針式メータ装置は、指針１と、この指針１の背後に所定距離を有して配置される表示板２と、この表示板２の背後に、本実施例では、指針１の回動中心領域Ｒの背後に所定距離を有して配置される光源３と、指針１と表示板２との間に配置されるカラー部材４とから構成され、指針１と計器本体５から伸長する指針軸６とを導光板３，表示板２，カラー部材４を介して連結固定し、計器本体５の指針軸６の駆動に応じた指針１の軸回り回動により、表示板２に形成された文字，数字，目盛等の図示しない表示意匠部を指示すると共に、光源３の点灯により、指針１を照明できるようになっている。なお、７は白色の合成樹脂から成る円筒形のケースであり、光源３の光の拡散を防止する仕切り部材を兼ねている。また、８は光源３や計器本体５が固定される回路基板であり、ガラスエポキシ樹脂などから構成されている。
【００１６】
指針１は、ポリカーボネートやアクリル合成樹脂からなる透光性の指針本体１０と、この指針本体１０の回動中心領域Ｒの前方及びその周囲を覆って背後が開口する、黒色系の遮光性合成樹脂からなるキャップ形の遮光性カバー（遮光性部材）１１と、指針本体１０の回動中心領域Ｒの背後（図１中、指針本体１０の下側）に固定され、黒色系の遮光性合成樹脂からなる円盤形の被覆部材（遮光性部材）１２とからなる。なお、遮光性カバー１１と被覆部材１２で覆われる空間内での光を損失を抑えるために、遮光性カバー１１と被覆部材１２の内面を白色に塗装してある。あるいは、内面を白色の合成樹脂とし外面を黒色の合成樹脂で形成してもよい。
【００１７】
指針本体１０は、その回動中心領域Ｒに、光源３の照明光を内部に採り入れる受光部（光導入部）１３と、この受光部１３より採り入れた照明光を先端側に反射する指針反射部１４とを備えている。
【００１８】
被覆部材１２は、遮光性を有する黒色の合成樹脂材料からなり、指針軸６に連結されるボス部１５と、受光部１３が貫通し露出する採光部１６と、カラー部材４の後述する遮光壁部に沿ってその内側に延びるＣ字状のリング状の突出壁からなる遮光部１７を備えている。
【００１９】
表示板２は、透明な合成樹脂パネルからなる基材の表面に、所定色からなり目盛，文字，マーク等を形成する透光性の着色印刷層とこの着色印刷層の周囲を囲むように目盛，文字，マーク等の背景となる地色印刷層とを備え（図示しない）、前記地色印刷層は、本実施例では白色系の着色インクを用いて形成されている。また表示板２は指針軸６及び指針本体１の受光部１３に対応する領域に貫通孔状の透光部２１を備えている。この透光部２１に、カラー部材４を装着することにより、表示板２をケース７に位置決めすることができる。
【００２０】
光源３は表面実装可能なチップ形の発光ダイオードであり、指針軸６の周囲に、複数設けられている。
【００２１】
カラー部材４は、遮光性を有する黒色の合成樹脂材料からなり、表示板２の透光部２１を取り巻いてその周縁を覆い且つその先端が遮光性カバー１１に向けて延びる円環状の遮光壁部４１と、この遮光壁部４１の基端側外周部より透光部２１の周囲に突出して表示板２の表面に当接するフランジ４２と、遮光壁部４１の下端より部分的に指針軸６に沿って伸長し且つその先端に外方へ向けて突出する係合部４３を有する弾性片４４とから構成されている。
【００２２】
そして、表示板２とケース７とを重ねて配置した状態で、透光部２１にカラー部材４の係止片４４を挿入し、係止片４４の係合部４３をケース７の背面に係合させることにより、表示板２及びケース７の固定が行われる。そしてカラー部材４の固定，止着状態において遮光壁部４１は、その先端部が遮光キャップ１１側へ延びるように配置され、またこの遮光壁部４１は、被覆部材１２の遮光部１７と所定間隔を空けて指針軸６の放射方向に対し、略迷路状となる光漏れ抑制部を構成する。
【００２３】
また、被覆部材１２の採光部１６を貫通して露出した光導入部１３に、光源３方向に突出した突出部１８が設けられ、これにより突出部１８は採光部１６領域内に光源３方向に突出している。この突出部１８は、遮光壁部４１の指針軸６側に設けられている。この突出部１８は、壁形状に形成されている。また、この突出部１８は、Ｃ字状の遮光部１７のＣ字の切れ間の部分を補うように壁形状に形成されており、遮光部１７と突出部１８とで、連続する円形の筒を形成する（図２を参照）。そして、遮光性カバー１１とカラー部材４の遮光壁部４１と被覆部材１２の遮光部１７及び突出部１８とで、所定間隔を空けて指針軸６の放射方向に対し、略迷路状となる光漏れ抑制部を構成する。このように構成したことにより、指針１と表示板２からの光漏れを低減することができる。なお、突出部１８は、遮光性ではなく、指針本体１０を構成する透明であるため、従来の指針照明装置に比べると、若干、光漏れが生じるが、突出部１８が存在しない場合に比べると、光漏れを良好に防止することができる。
【００２４】
また、この突出部１８は、光導入部１３の中程に設けられており、突出部１８の外側からも、光源３からの光を受けることが可能となる。さらに、突出部１８の先端を光源３に対して、平行な面を形成することにより、この突出部１８の先端からも光源３の光を受けることができ、従来に比べて、光導入部１３を大きくすることで、光源３から受けるとる光量をより多く受け取ることができ、指針１の輝度の低下を抑え、良好な輝度で、指針１を照明することができる。
【００２５】
なお本実施例では、被覆部材１２に指針軸６に連結されるボス部１５を設けたものであったが、指針１（指針本体１０）に指針軸６と連結するボス部を設け、被覆部材１２には、前記ボス部が貫通する孔部を形成したものでもよい。この場合、被覆部材１２は、指針本体１０の街道中心領域Ｒの背面（光源３側）のみを覆う部材となる。
【００２６】
図４から図６は本発明の第２実施例として、光導入部１３の突出部の変形例を示しており、前記第１実施例と同一もしくは均等箇所には同一符号を付してある。
【００２７】
すなわち、本実施例による光導入部１３の突出部１９は、図５に示すように、光導入部１３のほぼ全面が、光源３方向に突出した形状であり、その突出部１９の形状は、扇形である。そして、この扇形の一部外面１９ａは、遮光部１７の外壁１７ａとともに、円筒形を形成している。そして、この外面１９ａの外側にも光導入部１３が設けられている。
【００２８】
この実施例では、光導入部１３が光源３側に近づくために、前記実施例に比べて光源３からの光をより良好に受け取ることができ、指針１の輝度の低下を抑え、良好に指針１を照明することができる。また、前記第１実施例と同様に、指針１と表示板２からの光漏れを抑えることができる。
【００２９】
また、前記各実施例では、被覆部材１２の採光部１６を貫通して露出した光導入部１３に、突出部１８，１９が設けられていたが、前記実施例に限定されるものではなく、被覆部材１２の採光部１６を透明な合成樹脂にて形成し、この採光部１６に、前記各実施例の突出部１８，１９を設けたものであってもよい。
【００３０】
図７から図９は本発明の第３実施例を示すものであり、前記各実施例と同一もしくは均等箇所には同一符号を付してある。
【００３１】
本実施例では、光導入部１３が露出する採光部１６領域内に、被覆部材１２に形成した遮光部１７が横切るように設けられている。本実施例では、この採光部１６領域内を遮光部１７が横切り、この遮光部１７を挟んで、内側と外側に、光導入部１３が露出している。このように構成しても、従来に比べて、光導入部１３を大きくすることで、光源３から受けるとる光量をより多く受け取ることができ、指針１の輝度の低下を抑え、良好な輝度で、指針１を照明することができる。
【００３２】
なお、前記各実施例では、被覆部材１２を、黒色系の遮光性合成樹脂から形成されているが、遮光性カバー１１と被覆部材１２で覆われる空間内での光を損失を抑えるために、被覆部材１２の内面を白色に塗装してあるが、コストを削減するために、被覆部材１２を遮光性を有する白色の合成樹脂にて形成してもよい。
【００３３】
【発明の効果】
以上、本発明により、初期の目的を達成することができ、指針と表示板との間の光漏れを低減するとともに、指針の輝度を低下を防止することが可能な指針照明装置を提供することができる。
【図面の簡単な説明】
【図１】本発明の第１実施例の断面図である。
【図２】同実施例の被覆部材を光源側からみた正面図である。
【図３】同実施例の要部断面斜視図である。
【図４】本発明の第２実施例の断面図である。
【図５】同実施例の被覆部材を光源側からみた正面図である。
【図６】同実施例の要部断面斜視図である。
【図７】本発明の第３実施例の断面図である。
【図８】同実施例の被覆部材を光源側からみた正面図である。
【図９】同実施例の要部断面斜視図である。
【符号の説明】
１　指針
２　表示板
３　光源
４　カラー部材
５　計器本体
７　ケース
８　回路基板
１０　指針本体
１１　遮光性カバー（遮光性部材）
１２　被覆部材（遮光性部材）
１３　受光部（光導入部）
１４　指針反射部
１６　採光部
１７　遮光部
１８，１９　突出部
２１　透光部
４１　遮光壁部
４２　フランジ
４３　係合部
Ｒ　回動中心領域
【図１】
2004125498.tif 000003
【図２】
2004125498.tif 000004
【図３】
2004125498.tif 000005
【図４】
2004125498.tif 000006
【図５】
2004125498.tif 000007
【図６】
2004125498.tif 000008
【図７】
2004125498.tif 000009
【図８】
2004125498.tif 000010
【図９】
2004125498.tif 000011